【手続補正書】
【提出日】平成16年5月20日(2004.5.20)
【手続補正１】
【補正対象書類名】明細書
【補正対象項目名】０００３
【補正方法】変更
【補正の内容】
【０００３】
【発明が解決しようとする課題】
日々の排尿をトイレ内に置かれた容器に蓄積する技術では、蓄尿による臭いが発生するほか、衛生面でも好ましいものではなかった。また排尿を採集する容器と解析装置が一体になっている排尿自動解析装置については、患者の通院診断時に医師または看護婦が排尿解析装置に向かって排尿するように促しても患者が尿意を催さなかったり、患者に精神的な重圧感がかかり、自然な状態での排尿計測が難しかった。更にこれら排尿自動解析装置を家庭に設置するには大型で、高価であった。更に排尿容器に録音マイクを取り付けて平均尿流率を検出するものは、操作が煩雑であった。
【手続補正２】
【補正対象書類名】明細書
【補正対象項目名】００１０
【補正方法】削除
【補正の内容】
【手続補正３】
【補正対象書類名】明細書
【補正対象項目名】００１２
【補正方法】変更
【補正の内容】
【００１２】
【発明の実施の形態】
以下、図面を用いて本発明の実施形態を説明する。図１は本発明の排尿計測装置１の排尿蓄積部２を計測部２０に載置した一部破断した側面図であり、図２は排尿蓄積部２の平面図、図３は計測部２０の斜視図である。図１及び図２に示す排尿蓄積部２は、円筒形の上部支持体３と、円筒形の下部支持体４と、上部支持体３と下部支持体４とを接続する支持片５とが一体に形成される。この排尿蓄積部２には、円筒形の上部支持体３の中空上部より挿入または取り出しできる排尿容器６が設けられる。この排尿容器６は透明な柔軟性材料、たとえばポリエチレン等の透明な使い捨てできる市販の容器である。上部支持体３の上面部には、両側面から指先が入る程度の凹部７、８が設けられると共に、この凹部７、８の両端には排尿容器６の上端部を固定する突起部材９が４個形成され、排尿容器６を装着した時に排尿容器６を固定するようになっている。また、この凹部７、８と直角方向の上部支持体３には、取っ手１０が一体に形成されている。
【手続補正４】
【補正対象書類名】明細書
【補正対象項目名】００１３
【補正方法】変更
【補正の内容】
【００１３】
この取っ手１０の上面には、排尿測定起動スイッチＳＷ１と、排尿の状態を表示するＬＥＤからなる表示素子１１とを設ける。なお、前記排尿測定起動スイッチＳＷ１は、押しボタン式のスイッチであり、被験者が取っ手１０を持ったときに親指の腹の部分が接する位置にある。
【手続補正５】
【補正対象書類名】明細書
【補正対象項目名】００２０
【補正方法】変更
【補正の内容】
【００２０】
次に、取っ手１０を握り持ち、親指で排尿測定起動スイッチＳＷ１を押すと、電源４２より図５の制御回路全体に電気が供給される（ステップＳ１）。この電源オンによりステップＳ２で制御器４０内部のデータ等が初期化されるとともに、ステップＳ３で電源をオフするオートパワーオフタイマーをスタートさせ、ステップＳ４に進み、表示素子１１が排尿測定の準備ができたことを知らせるために点滅表示してステップＳ５に進む。
【手続補正６】
【補正対象書類名】明細書
【補正対象項目名】００２１
【補正方法】変更
【補正の内容】
【００２１】
その後に取っ手１０を持ったまま前記排尿容器６に排尿することにより、２対の排尿センサー１３、１４が液体である尿が赤外線を屈折することにより排尿を感知する。この感知によりステップＳ５でＹｅｓと判断されステップＳ６に進み、ステップＳ５でＮｏと判断されると、ステップＳ７に進み、オートパワーオフタイマーがタイムアウトしたか否かを判断する。タイムアウトしていなければ、Ｎｏと判断され、ステップＳ５に戻る。タイムアウトしたと判断されると、ステップＳ７でＹｅｓと判断されてステップＳ８で電源をオフする。
【手続補正７】
【補正対象書類名】明細書
【補正対象項目名】００２２
【補正方法】変更
【補正の内容】
【００２２】
排尿センサー１３、１４で排尿が感知され、ステップＳ６に進むと、表示素子６を点滅から常時点灯にし、ステップＳ９で排尿時間の計時を開始し、ステップＳ１０で排尿が終了したときに被験者がオンする排尿測定起動スイッチＳＷ１の状態を判断する。オンされなければ排尿が継続しているとしてＮｏと判断し、計時を継続する。排尿が終了して被験者が排尿測定起動スイッチＳＷ１をオンすると、ステップＳ１０でＹｅｓと判断されステップＳ１１に進む。ステップＳ１１では表示素子６を常時点灯から点滅に切り替え、ステップＳ１２で排尿時間の演算処理を行う。その後ステップＳ１３にて発光体１５より排尿時間データを発信するとともに、発信時間を制限するタイマーをスタートする。このタイマーは、排尿後に排尿蓄積部２を計測部２０にセットする間、データ発信を継続させるものであるので、少なくとも約３分程度の時間が必要である。そしてこのタイマーがタイムアウトすると、ステップＳ１４にてＹｅｓと判断され、ステップＳ１５にて電源をオフする。
【手続補正８】
【補正対象書類名】明細書
【補正対象項目名】００２７
【補正方法】変更
【補正の内容】
【００２７】
ステップＳ２７にて受信データが正常であれば、Ｙｅｓと判断されてステップＳ３０に進み、排尿蓄積部２の重量を引いた排尿重量を測定するとともに、排尿時間と排尿重量とから平均尿流率を演算し、ステップＳ３１で排尿日、排尿時刻、排尿日における排尿の回数、排尿重量、平均尿流率、排尿時間をメモリ５３に記憶する。そしてステップＳ３２で受信及び測定したデータに基き図９で示すように本日の横の表示素子３２にひし形のマークと、最新データのその日の排尿回数の３と、排尿時刻１０：３０とを表示し、ステップＳ３３で制御器５０のマイクロコンピュータ内部のモードカウンタをステップＳ２１で０にリセットされているものに１を加算し、ステップＳ２３に戻る。
【手続補正９】
【補正対象書類名】明細書
【補正対象項目名】００２９
【補正方法】変更
【補正の内容】
【００２９】
この表示の状態でモードスイッチＳＷ４を押すと、ステップＳ４０でＹｅｓと判断されステップＳ４１に進む。このステップＳ４１では、モードカウンタに１を加算するのでモードカウンタは２になり、ステップＳ４２でＮｏと判断され、ステップＳ４３に進み、ステップＳ４４で図１０に示すように本日の排尿回数が３回目で、尿量が１８０ｍｌを表示する。さらにモードスイッチＳＷ４を押すと、ステップＳ４０からステップＳ４１でカウンタがカウントアップされてモードカウンタは３となり、ステップＳ４２、Ｓ４３に進み、Ｓ４５でＹｅｓと判断されステップＳ４６にて図１１に示すように３．０ｍｌ／ｓｅｃの平均尿流率を表示する。さらにモードスイッチＳＷ４を押すと、ステップＳ４０からステップＳ４１でカウントアップされてモードカウンタは４となり、ステップＳ４７でＹｅｓと判断されて、ステップＳ４８にて図１２に示す排尿時間の表示となる。この表示でモードスイッチＳＷ４を押すと、ステップＳ４１でカウントアップしてモードカウンタが５となりステップＳ４７でＮｏと判断され、ステップＳ４９でモードカウンタを０に戻し、ステップＳ２２に戻ることで図１３に示すように現在時刻の表示に戻る。ここで更にモードスイッチＳＷ４をオンすると、ステップＳ４０、Ｓ４１、Ｓ４２、Ｓ５０と進んで、再び本日の排尿回数と最新の排尿時刻の表示になる。
【手続補正１０】
【補正対象書類名】明細書
【補正対象項目名】００３１
【補正方法】変更
【補正の内容】
【００３１】
ここで過去スイッチＳＷ６をオンすると、ステップＳ６０からステップＳ６３に進み、Ｙｅｓと判断されステップＳ６４で回数カウンタを１加算して、ステップＳ６５で最新のデータより１つ前のデータをメモリ５３より読み出しステップＳ４１に進む。ステップＳ４１に進むと、現在スイッチＳＷ５をオンしたときと同様に読み出したデータに基づきステップＳ４２、Ｓ５０で図１４に示すように最新データの一つ前のその日の排尿回数と排尿時刻の表示を行う。この表示でモードスイッチＳＷ４を押すと、現在スイッチＳＷ５を押したときと同様に、ステップＳ４０からステップＳ５０にて順次尿量、平均尿流率、排尿時間の表示を行うことができる。
【手続補正１１】
【補正対象書類名】明細書
【補正対象項目名】図面の簡単な説明
【補正方法】変更
【補正の内容】
【図面の簡単な説明】
【図１】本発明の排尿計測装置１の排尿蓄積部２を計測部２０に載置した一部破断した測面図である。
【図２】排尿蓄積部２の平面図である。
【図３】計測部２０の斜視図である。
【図４】計測部２０の操作部分３０と表示部３１の詳細を示す正面図である。
【図５】排尿蓄積部２の制御回路構成のブロック図である。
【図６】計測部２０の制御回路構成のブロック図である。
【図７】排尿蓄積部２のフローチャートである。
【図８】計測部２０のフローチャートである。
【図９】最新測定時のその日の排尿回数と排尿時刻の表示例を示す図である。
【図１０】最新測定時の回数と尿量の表示例を示す図である。
【図１１】最新測定時の回数と平均尿流率の表示例を示す図である。
【図１２】最新測定時の回数と排尿時間の表示例を示す図である。
【図１３】時刻表示の表示例を示す図である。
【図１４】最新測定の１つ前のその日の排尿回数と排尿時刻の表示例を示す図である。